【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
ワーク信号を印加するデータレシーバの性能特性を反映するように、ワーク信号のアイダイアグラムデータを正規化する方法であって、
（ａ）順位値に時間増分を掛けたものとしてそれぞれ時間を表す連続した順位値の第１の集合によって索引付けされた第１の次元と、順位値に電圧増分を掛けたものとしてそれぞれ電圧を表す連続した順位値の第２の集合によって索引付けされた第２の次元とを有する第１のデータ構造に、アイダイアグラムデータを記憶するステップと、
（ｂ）前記第１の集合内の各順位値に、前記データレシーバに関連する最小持続時間を前記第１の集合内の各順位値に関連する時間に分割することにより求められた各指数を関連付けることによって、前記第１の次元を第１の良度指数として再スケーリングするステップと、
（ｃ）前記第２の集合内の各順位値に、前記データレシーバに関連する最小電圧偏移を前記第２の集合内の各順位値に関連する電圧に分割することにより求められた各指数を関連付けることによって、前記第２の次元を第２の良度指数として再スケーリングするステップと、
（ｄ）前記第１のデータ構造に記憶されたデータを補間し、前記第１の良度指数及び前記第２の良度指数によってそれぞれ索引付けされた第２のデータ構造の第３の次元及び第４の次元における連続した離散的段階に対応する値を生成することにより前記第１のデータ構造内のデータを再サンプリングし、前記第３の次元における前記第１の良度指数の一単位当たりの離散的段階の数が、前記第４の次元における前記第２の良度指数の一単位当たりの離散的段階の数と同じになるようにするステップと、
（ｅ）ステップ（ｄ）において補間され再サンプリングされた値を前記第２のデータ構造に記憶するステップと
からなる方法。
【請求項２】
前記アイダイアグラムデータは、アイダイアグラム全体を表すものである、請求項１に記載の方法。
【請求項３】
前記アイダイアグラムデータは、アイダイアグラム全体のうちの特定部分を表すものである、請求項１に記載の方法。
【請求項４】
前記特定部分はアイ開口である、請求項３に記載の方法。
【請求項５】
データレシーバに印加されるデジタルワーク信号の測定のサンプリングパラメータを選択する方法であって、
（ａ）各値が時間を表す連続した順位値の第１の集合によって索引付けされた第１の次元と、各値が電圧を表す連続した順位値の第２の集合によって索引付けされた第２の次元とを有する第１のデータ構造に、デジタルワーク信号のアイダイアグラムを記憶するステップと、
（ｂ）ステップ（ａ）において記憶されたアイダイアグラムの中のアイ開口を識別するステップと、
（ｃ）ステップ（ｂ）において識別された少なくとも１つのアイ開口を正規化し、前記データレシーバに関連する最小信号持続時間に対するワーク信号の実際の持続時間の時間良度指数に関する横座標と、前記データレシーバに関連する最小信号偏移に対するワーク信号の実際の偏移の電圧良度指数に関する縦座標とを有する正規化アイダイアグラムデータを生成するステップと、
（ｄ）時間良度指数値をそれぞれ表す連続した順位値の第３の集合によって索引付けされた第３の次元と、電圧良度指数値をそれぞれ表す連続した順位値の第４の集合によって索引付けされた第４の次元とを有する第２のデータ構造に、ステップ（ｃ）の正規化アイダイアグラムデータを記憶するステップと、
（ｅ）ステップ（ｄ）の第２のデータ構造に記憶された前記正規化アイ開口の中の指定可能な位置を走査し、前記正規化アイ開口の中の正規化座標の位置をアルゴリズムに従って見付けるステップと、
（ｆ）ステップ（ｅ）において見付かった正規化座標を、前記第１の次元によって表される時間、及び、前記第２の次元によってあらわされる電圧によって表されるサンプリングパラメータに変換するステップと
からなる方法。
【請求項６】
ステップ（ｂ）でアイ開口が識別される前に、ステップ（ａ）において、アイダイアグラム全体のアイダイアグラムデータが記憶される、請求項５に記載の方法。
【請求項７】
前記アルゴリズムは、縦座標に関して左右対称で且つ横座標に関して上下対称であって、更に特定の基準に従って前記正規化アイ開口の中にちょうど収まるような、最大の特定形状の中心の正規化座標を見付けるためのアルゴリズムである、請求項５に記載の方法。
【請求項８】
前記特定形状は正方形である、請求項７に記載の方法。
【請求項９】
前記特定形状は円形である、請求項７に記載の方法。
【請求項１０】
前記特定形状は最も外側の隣接位置の層によって拡大され、前記特定の基準は、ステップ（ｂ）において識別されたアイ開口の部分である位置だけを含む完全な層における位置の数をカウントすることからなる、請求項７に記載の方法。
【請求項１１】
前記特定形状は最も外側の隣接位置の層によって拡大され、前記特定の基準は、ステップ（ｂ）において識別されたアイ開口の部分の位置だけを有する完全な層における位置の数に、前記アイ開口の部分ではない少なくとも１つの位置を含む第１の層におけるアイ開口の部分である位置の数を加えた数をカウントすることからなる、請求項７に記載の方法。
【請求項１２】
前記アルゴリズムは、前記アイ開口から層を除去できなくなるまで前記アイ開口から層を除去するステップを含み、該層は、前記アイ開口の境界に位置する任意の位置、又は、前に除去された層の隣りにある位置からなる、請求項５に記載の方法。
【請求項１３】
前記データレシーバはロジックアナライザの一部である、請求項５に記載の方法。
【請求項１４】
デジタル信号のアイダイアグラムのアイ開口の中にちょうど収まる最大の円形状の中心を見付ける方法であって、
（ａ）各値が時間を表す連続した順位値の第１の集合によって索引付けされた第１の次元と、各値が電圧を表す連続した順位値の第２の集合によって索引付けされた第２の次元とを有する第１のデータ構造に、デジタルワーク信号のアイダイアグラムを記憶し、前記デジタル信号が発生しなかった時間と電圧の組み合わせに対応する位置にヌルの指示が記憶され、それ以外の位置にヌル以外の指示が記憶されるようにするステップと、
（ｂ）前記第１のデータ構造を走査してアイ開口を抽出し、そのアイ開口を表現を第２のデータ構造に記憶するステップと、
（ｃ）第２のデータ構造内においてヌルを示すアイ開口内の位置に隣接しているが、それ自体はヌル以外を示す位置を境界位置として識別するステップと、
（ｄ）第２のデータ構造に記憶されたアイ開口内の各位置について、各位置からステップ（ｃ）で境界位置として識別されたあらゆる位置までの距離の指示を計算するステップと、
（ｅ）距離の指示を計算するためのステップ（ｄ）のアイ開口内の各位置について、計算された距離の指示の中から最小のものを判定するステップと、
（ｆ）ステップ（ｅ）で判定された最小の距離の指示の中から、最大のものを選択するステップと、
（ｇ）ステップ（ｆ）で判定された最大の距離に関連する位置を前記アイ開口の中にちょうど収まる最大の円形状の中心として選択するステップと
からなる方法。
【請求項１５】
ステップ（ｂ）で抽出される前記アイダイアグラム開口は、前記第２のデータ構造に記憶される前に正規化され、前記円形状は円である、請求項１４に記載の方法。
【請求項１６】
ステップ（ｂ）で抽出される前記アイダイアグラム開口は、前記第２のデータ構造に記憶される前に正規化され、前記円形状は楕円であり、ステップ（ｄ）で計算される距離の指示の横座標及び縦座標は、それらが前記計算に使用される前に、最小パルス幅と実際のパルス持続時間の比、及び、最小電圧偏移と実際の電圧偏移の比を反映するようにスケーリングされる、請求項１４に記載の方法。